(57)【要約】【課題】簡易に構成され、容器に対して高い密閉性を有して強固に取付可能なオーバーキャップを提供する。【解決手段】開口端が圧着されたフランジ６を有する容器５の開口部２に取り付けられるオーバーキャップ１０において、フランジ６を挿入可能であって、フランジ６を両側から挟持する内外一対の側壁１７、１８が設けられた基部１１を備え、外側の側壁１８には、内側の側壁１７側に突出する突出体２１が設けられており、フランジ６は、突出体２１を乗り越えて挿入される際に曲折され、曲折した状態で突出体２１の上方に挿入されて、突出体２１と係合する。【選択図】図４
2014122064.tif 000002
【特許請求の範囲】
【請求項１】
開口端が圧着されたフランジを有する容器の開口部に取り付けられるオーバーキャップにおいて、
前記フランジを挿入可能であって、当該フランジを両側から挟持する内外一対の側壁が設けられた基部を備え、
外側の前記側壁には、
内側の前記側壁側に突出する突出体が設けられており、
前記フランジは、前記突出体を乗り越えて挿入される際に曲折され、曲折した状態で前記突出体の上方に挿入されて、前記突出体と係合することを特徴とするオーバーキャップ。
【請求項２】
前記外側の側壁に設けられる前記突出体の下方には、前記フランジと係合可能な係合体が設けられていることを特徴とする請求項１に記載のオーバーキャップ。
【請求項３】
前記内側の側壁には、
前記突出体を乗り越える際に前記フランジが退避するための凹部が前記突出体に対向して形成されていることを特徴とする請求項１、又は２に記載のオーバーキャップ。
【請求項４】
開口端が圧着されたフランジを有する開口部に当該開口部を封止する蓋材が取り付けられた容器と、当該容器の開口部に取り付けられるオーバーキャップと、を備えるオーバーキャップ付き容器であって、
前記オーバーキャップは、
前記フランジを挿入可能であって、当該フランジを両側から挟持する内外一対の側壁が設けられた基部を備え、
外側の前記側壁には、
内側の前記側壁側に突出する突出体が設けられており、
前記フランジは、前記突出体を乗り越えて挿入される際に曲折され、曲折した状態で前記突出体の上方に挿入されて、前記突出体と係合することを特徴とするオーバーキャップ付き容器。
【発明の詳細な説明】
【技術分野】
【０００１】
本発明は、例えばカップ状の容器の開口部に取り付けられるオーバーキャップ等に関する。
【背景技術】
【０００２】
従来から、例えば、開口部がトップシールされた紙を基材とするカップ状の容器を使用後、容器内の内容物の保護、塵埃よけ等に使われるオーバーキャップが知られている（特許文献１参照）。
【０００３】
このようなオーバーキャップは、例えば、樹脂で成形されており、オーバーキャップと容器を分離して廃棄する必要性を考慮して、オーバーキャップの内壁がカップ容器の開口部周縁に外側から嵌合させ、着脱しやすくなっている。
【先行技術文献】
【特許文献】
【０００４】
【特許文献１】特開２００９−２３４６３６号公報
【発明の概要】
【発明が解決しようとする課題】
【０００５】
従来のオーバーキャップは、上述したように、容器から着脱しやすく成型されているため、オーバーキャップの防湿密閉機能が低くならざるを得ない。
【０００６】
また、オーバーキャップと容器とは容器の開口端から外側に突出しているフランジのみで係合されているために、容易に容器がオーバーキャップから外れて落下したり、使用者の保持圧で簡単にオーバーキャップが外れたりする等の問題があった。
【０００７】
そこで、本発明は、上記問題点に鑑みてなされたものであり、その目的の一例は、簡易に構成され、容器に対して高い密閉性を有して強固に取付可能なオーバーキャップ等を提供することにある。
【課題を解決するための手段】
【０００８】
上記課題を解決するために、請求項１に記載のオーバーキャップ（１０）は、開口端が圧着されたフランジ（６）を有する容器（５）の開口部（２）に取り付けられるオーバーキャップ（１０）において、前記フランジを挿入可能であって、当該フランジを両側から挟持する内外一対の側壁（１７、１８）が設けられた基部（１１）を備え、外側の前記側壁（１８）には、内側の前記側壁側に突出する突出体（２１）が設けられており、前記フランジは、前記突出体を乗り越えて挿入される際に曲折され、曲折した状態で前記突出体の上方に挿入されて、前記突出体と係合することを特徴とする。
【０００９】
また、請求項２に記載のオーバーキャップは、請求項１に記載のオーバーキャップにおいて、前記外側の側壁に設けられる前記突出体の下方には、前記フランジと係合可能な係合体（２４）が設けられていることを特徴とする。
【００１０】
また、請求項３に記載のオーバーキャップは、請求項１、又は２に記載のオーバーキャップにおいて、前記内側の側壁には、前記突出体を乗り越える際に前記フランジが退避するための凹部（１７ａ）が前記突出体に対向して形成されていることを特徴とする。
【００１１】
また、請求項４に記載のオーバーキャップ付き容器は、開口端が圧着されたフランジを有する開口部に当該開口部を封止する蓋材が取り付けられた容器（５）と、当該容器の開口部に取り付けられるオーバーキャップと、を備えるオーバーキャップ付き容器であって、前記オーバーキャップは、前記フランジを挿入可能であって、当該フランジを両側から挟持する内外一対の側壁が設けられた基部を備え、外側の前記側壁には、内側の前記側壁側に突出する突出体が設けられており、前記フランジは、前記突出体を乗り越えて挿入される際に曲折され、曲折した状態で前記突出体の上方に挿入されて、前記突出体と係合することを特徴とする。
【発明の効果】
【００１２】
容器に対して高い密着性を有して強固に取り付けることができる。
【図面の簡単な説明】
【００１３】
【図１】オーバーキャップ付き容器の外観例を示す模式図である。
【図２】オーバーキャップ付き容器の縦断面を示す模式図である。
【図３】オーバーキャップの取付例を示し、図３（ａ）は蓋材が取り付けられた容器にオーバーキャップを取り付けた際の一例を示す模式図、図３（ｂ）は蓋材を取り外した容器にオーバーキャップを取り付けた際の一例を示す模式図、図３（ｃ）はオーバーキャップの蓋部を開いた状態の一例を示す模式図である。
【図４】フランジが嵌合部に取り付けられる際の過程を説明するための図である。
【図５】オーバーキャップの他の実施形態を示し、図５（ａ）は蓋材を取り外した容器にオーバーキャップを取り付けた際の一例を示す模式図、図５（ｂ）はオーバーキャップの蓋部を開いた状態の一例を示す模式図である。
【図６】オーバーキャップの他の実施形態を示し、図６（ａ）は平面図、図６（ｂ）は図６（ａ）のＡ−Ａ断面を示す模式図である。
【図７】図６に示すオーバーキャップの他の実施形態を示し、図７（ａ）は平面図、図７（ｂ）は図７（ａ）のＢ−Ｂ断面を示す模式図である。
【図８】オーバーキャップの他の実施例を示す模式図である。
【発明を実施するための形態】
【００１４】
以下に、本願発明の最良の実施形態を添付図面に基づいて説明する。
【００１５】
図１に示すように、本実施形態のオーバーキャップ１０は、例えば食品容器に用いられるカップ状の容器５に適用される。まず、本実施形態のオーバーキャップ１０が取り付けられる容器５について説明する。
【００１６】
図１及び図２に示すように、容器５は、有底円筒状のカップ状の紙を主材料とする容器であって、内面にポリエチレン（ＰＥ）、ポリプロピレン（ＰＰ）、アルミニウム等のバリア性を有する材料が積層されたバリア性を有する容器である。
【００１７】
この容器５は、外観が円筒又は角筒など筒状の壁体５ａと、この壁体５ａの下端部開口を塞ぐ底体５ｂと、を備え、上端部に開口部２を有している。また、壁体５ａは、上方に向かって徐々に広がるテーパ状に形成されており、当該壁体５ａの上端部は、外側に折り返されるとともに複数折り返され圧着されて形成される肉厚部（フランジ６）を有している。
【００１８】
なお、一般に用いられている容器５のフランジ６には、リング状に丸められて（カールされて）形成されるタイプが知られているが、本実施形態のフランジ６は、折り返して圧着されることで上記リング状に丸められたタイプよりも強度を有するものであって、本実施形態では、この折り返して圧着されるタイプが用いられる。
【００１９】
この容器５の開口部２には、図２に示すように、バリア性を有する紙製の蓋材７が前記フランジ６に貼着されて開口部２が封止されており、当該蓋材７を開口部２から取り外すことにより、容器５内に収容されている内容物を外部に取り出すことが可能となっている。
【００２０】
蓋材７の材質は紙に限られず、アルミニウムやＰＥ等が適宜用いられる。また、内容物としては、例えば、ヨーグルト等の流動体、インスタントコーヒ、ココア、ふりかけ、調味料等の粉体が好適に用いられる。
【００２１】
次に、容器５に用いられる本実施形態のオーバーキャップ１０について説明する。
【００２２】
本実施形態のオーバーキャップ１０は、上述した容器５の開口部２に着脱可能に取り付けられ、この開口部２の外周縁（フランジ６）に対して嵌め合わされる嵌合部１５を備えている。
【００２３】
このオーバーキャップ１０は、例えば、ＰＰなどのバリア性を有する材料を用いて、例えば射出成型により形成されており、中央部に略円形状の開口１９が形成され、その外周に嵌合部１５が下方に形成された環状の基部１１と、当該基部１１に連結され、この開口１９を上方から塞ぐ蓋部１２と、を備えている。蓋部１２は、当該基部１１にヒンジ１３により連結され、この開口１９に開閉可能に取り付けられる。
【００２４】
基部１１は、図２に示すように、平坦状に形成された平面視略環状に形成された天面１６と、この天面１６を挟んで内周側と外周側にともに下方側に垂下して設けられる内側壁１７及び外側壁１８と、を備え、縦断面視で逆Ｕ字状をなすように形成される。そして、この天面１６、内側壁１７、及び外側壁１８で囲まれた領域が前記嵌合部１５として機能する。
【００２５】
外側壁１８には、蓋材７が取り付けられた容器５のフランジ６と嵌合するための嵌合部位と、蓋材７が取り外された後の容器５のフランジ６と嵌合するための嵌合部位がその内壁の上下に設けられており、当該外側壁１８の下端部は、内側壁１７の下端よりも下方へと延びて形成されている。
【００２６】
これら２つの嵌合部位には、内側に突出し、容器５のフランジ６が係止される上下２つの係止用突起２１、２４が形成されている。また、上側に設けられている嵌合部位の上部の内径Ｄ１は、下側に設けられている嵌合部位の上部の内径Ｄ２よりも狭く形成されている。
【００２７】
上側の係止用突起２１（本願の突出体）は、蓋材７が取り外された容器５にオーバーキャップ１０を取り付ける際に用いられ、下側の係止用突起２４（本願の係合体）は、蓋材７が取り付けられた容器５にオーバーキャップ１０を取り付ける際に用いられる。
【００２８】
上側の係止用突起２１は、外側壁１８の内壁から下側に傾斜して形成される上側部位２１ａと内側に盛り上がるようにして湾曲状に形成される下側部位２１ｂと、を備えている。一方で、内側壁１７の外壁には、上側の嵌合部位に対向して内側にへこむ凹部１７ａが形成されている。
【００２９】
そして、蓋材７が取り付けられた容器５にオーバーキャップ１０が取り付けられる場合には、図３（ａ）に示すように、蓋材７の上面が内側壁１７の下端面と当接しつつ、フランジ６の下側周囲が外側壁１８の下側の係止用突起２４と係合して係止され、外側壁１８による弾性接触によってフランジ６の周縁が内側へと押圧されることで、容器５の開口部２にオーバーキャップ１０が密着して取り付けられる。
【００３０】
一方で、蓋材７が取り外された容器５にオーバーキャップ１０が取り付けられる場合には、図３（ｂ）に示すように、上側の嵌合部位にフランジ６が屈曲した状態で、外側壁１８の上側の係止用突起２１に係止され、外側壁１８による弾性接触によってフランジ６の周縁が内側へと押圧されることで、容器５の開口部２にオーバーキャップ１０が密着して取り付けられる。また、この時、内側壁１７が容器５の壁体５ａの内面と密着する為,蓋材７が外された状態でも容器５内のバリア性が維持される。
【００３１】
また、図３（ｃ）に示すように、容器５にオーバーキャップ１０を取り付けた状態において、蓋部１２を上方に引き上げることにより、容器５内と外部とを連通させることが可能である。なお、蓋部１２には、例えば、内側に下方に突出するリブ１４が形成されており、蓋部１２を閉じた状態において、図３（ｂ）に示すように、このリブ１４が内側壁１７の内周面と密着することで気密状態を保つことが可能となっている。
【００３２】
ここで、蓋材７が取り外された容器５にオーバーキャップ１０が取り付けられる際の具体的形態について、図４を用いて説明する。
【００３３】
まず、容器５の上方からオーバーキャップ１０を被せるようにして移動すると、図４（ａ）に示すように、容器５の内壁面がオーバーキャップ１０の内側壁１７の外壁に接触しつつ、上側の嵌合部位へと移動する。
【００３４】
さらにオーバーキャップ１０を下側へと移動することで、図４（ｂ）に示すように、フランジ６の外周縁が上側の係止用突起２１の下側部位２１ｂに接触し、その後、フランジ６が当該係止用突起２１を乗り越える際に、その基端側が内側壁１７の凹部１７ａに退避する。さらに、オーバーキャップ１０を下側へと押しこむことによって、図４（ｃ）に示すように、フランジ６は内側へと曲折しつつ係止用突起２１を乗り越える。
【００３５】
さらに、オーバーキャップ１０を下側へと移動することで、図４（ｄ）に示すように、フランジ６は、係止用突起２１による押圧力から解放されて反発した状態で、内側壁１７と外側壁１８との間で曲折した状態を保ちつつ、係止用突起２１と係合し、その上側部位２１ａに係止され、外側壁１８の弾性接触も加わって強固に固定される。
【００３６】
このように本実施形態のオーバーキャップ１０によれば、フランジ６の反発力と外側壁１８の弾性接触に加えて、フランジの外周縁が係止用突起２１に係止されることで、高い密着性を有して容器５の開口部２にオーバーキャップ１０が強固に固定して取り付けられる。したがって、一度、オーバーキャップ１０が取り付けられると、オーバーキャップ１０と容器５の取外しが困難となっている。
【００３７】
また、オーバーキャップの基材はバリア性を有しているので、蓋材７が取り外された後の容器５にオーバーキャップ１０を取り付けた場合に、前記容器に収容されている内容物の品質が劣化することを防止できる。なお、バリア性を有していない材料によって基材を形成する場合には、別途バリア性を有するシート等を設ければ良い。
【００３８】
次に、他の実施形態のオーバーキャップ１０Ａについて図５を用いて説明する。なお、本実施形態のオーバーキャップ１０Ａにおいて、オーバーキャップ１０と同一の機能を有する部材には同一符号を付し、その説明は省略するものとする。
【００３９】
本実施形態は、落とし蓋（容器５の開口部２の内側に嵌入する部分を備える蓋）形態のオーバーキャップ１０Ａの一例である。
【００４０】
本実施形態のオーバーキャップ１０Ａは、図５に示すように、開口２２ａを有する基体２２の外周部の上方に容器５のフランジ６と嵌合するための嵌合部１５が突出して形成されている。
【００４１】
具体的には、平面視略円形状に形成された基体２２の周囲に立設して形成された内側壁１７と、平坦状に形成された平面視略環状の天面１６と、この天面１６から垂下して形成される外側壁１８と、を備えている。
【００４２】
なお、基体２２は、図示しないが蓋材７が取り付けられた容器５にオーバーキャップ１０Ａが取り付けられた際に、下面が蓋材７の上面と当接するように位置決めされる。
【００４３】
また、基体２２上には、ヒンジ２３を介して回動可能にレバー２５が設けられている。このレバー２５の先端部には、前記嵌合部１５を外側から覆うようにして嵌合するための略逆Ｕ字状の嵌合体２６が設けられているとともに、当該レバー２５には、当該嵌合体２６が嵌合部１５と嵌合した際に、基体２２に形成された開口２２ａを塞ぐ突起２７が設けられている。
【００４４】
このように構成されたオーバーキャップ１０Ａによれば、図５（ａ）に示すように、レバー２５を下方へと回動し、嵌合体２６を嵌合部１５と嵌合することで密閉性を保つ（バリア性を維持する）一方で、図５（ｂ）に示すように、レバー２５を上方へと回動し、嵌合部１５から嵌合体２６を取り外せば、開口２２ａを介して容器内と外部とを連通することが可能である。
【００４５】
次に、本実施形態のオーバーキャップ１０の嵌合形態の他の実施形態について図６及び図７を用いて説明する。なお、本実施形態のオーバーキャップ１０Ｂにおいて、オーバーキャップ１０Ａと同一の機能を有する部材には同一符号を付し、その説明は省略するものとする。
【００４６】
本実施形態は、落とし蓋（容器５の開口部２の内側に嵌入する部分を備える蓋）形態のオーバーキャップ１０Ｂの一例であり、容器５に収容されている内容物を回転蓋３０を用いて外部に取り出し可能とした形態の一例である。
【００４７】
本実施形態のオーバーキャップ１０Ｂは、図６及び図７に示すように、開口２２ａを有する基体２２の外周部の上方に容器５のフランジ６と嵌合するための嵌合部１５が突出して形成されている。
【００４８】
具体的には、平面視略円形状に形成された基体２２の周囲に立設して形成された内側壁１７と、平坦状に形成された平面視略環状の天面１６と、この天面１６から垂下して形成される外側壁１８と、を備えている。
【００４９】
なお、基体２２は、図示しないが蓋材７が取り付けられた容器５にオーバーキャップ１０Ａが取り付けられた際に、下面が蓋材７の上面と当接するように位置決めされる。
【００５０】
この基体２２上には、前記嵌合部１５の内側壁１７の一部と係合して基体２２上を水平方向に回転可能に設けられる開口３１を有する回転蓋３０が配置される。
【００５１】
また、天面１６の一部には、上方に突出し、回転蓋３０の開口３１を閉塞する閉塞体３５が設けられている。
【００５２】
回転蓋３０は、仕切体３３により左右が区分けされ、一方の側３４には容器５内の内容物の一部を収容する収容部３４ａを有している。収容部３４ａを形成する側壁３６には、収容部３４ａに収容された内容物を外部へと排出するための開口３１が形成されている。
【００５３】
このように構成されたオーバーキャップ１０Ｂによれば、図６に示すように、開口３１が閉塞体３５により閉塞された位置において、容器５を逆さまにすることで内容物の一部を収容部３４ａに移動した後、図７に示すように、回転蓋３０を回転して、開口３１を閉塞体３５が設けられている領域から離反させることで、収容部３４ａに収容されている内容物を開口２２ａから外部へと排出することが可能である。
【００５４】
なお、仕切体３３により区分けされている他方の側は、基体２２と摺動する板状体となっており、図７に示すように、この他方の側によって基体２２に形成されている開口２２ａを塞ぐことで容器５内を気密に保つことが可能であり、バリア性を維持できる。
【００５５】
次に、本実施形態のオーバーキャップ１０の嵌合形態の他の実施形態について図８を用いて説明する。なお、本実施形態のオーバーキャップ１０Ｃにおいて、オーバーキャップ１０と同一の機能を有する部材には同一符号を付し、その説明は省略するものとする。
【００５６】
本実施形態は、容器５に収容されている内容物を、回転蓋４０を用いて外部に取り出し可能とした形態の一例である。
【００５７】
本実施形態のオーバーキャップ１０Ｃは、図８に示すように、容器５のフランジ６と嵌合するための嵌合部１５を備える本体４５の上部に、開口４１を有する回転蓋４０が水平方向に回転可能に設けられている。
【００５８】
本体４５は、下端部に開口１９を有して上端部が塞がれた略円筒状の基部を備え、この基部の外周下方には嵌合部１５が形成されている。基部の側面の一部には開口４６が形成されている。
【００５９】
一方、回転蓋４０は、本体４５の基部と係合して基部の上方周囲を回転可能に取り付けられる。そして、この回転蓋４０を回転させ、本体４５に形成されている開口４６と回転蓋４０の開口４１とを重ねることで容器５内に収容されている内容物を外部へと排出可能である。
【００６０】
なお、本体４５に形成されている開口４６を回転蓋４０によって閉塞することで容器５内を気密に保つことが可能であり、バリア性を維持できる。
【００６１】
なお、閉塞体４５に形成される開口４６は、大きさの異なる開口として複数設けてもよく、さらには、その形状も種々選択して適用することができる。
【００６２】
なお、以上説明した実施形態は特許請求の範囲にかかる発明を限定するものではない。そして、上記実施形態の中で説明されている構成の組み合わせのすべてが発明の課題解決に必須の手段であるとは限らない。
【００６３】
具体的には、本実施形態に示すオーバーキャップの内側壁１７は環状に形成されているが、天面１６に不連続（部分的）に設ける形態であっても構わない。さらに、本実施形態の係止用突起２１、２２は環状に形成されているが、外側壁１８に不連続（部分的）に設ける形態であっても構わない。
【００６４】
さらにまた、容器５の全体が平面視において円形状に形成されているが、円形状以外の楕円形状や多角形状などであっても構わないが、この場合、オーバーキャップ１０〜１０Ｃの外観形状は容器５と同じ形状に形成される。
【００６５】
また、本実施形態のオーバーキャップは、蓋材７が取り付けられた容器にも適用可能なように、係止用突起２２が設けられているが、蓋材７が取り外された容器にのみ用いる形態であれば、当該係止用突起２２は必要なく、係止用突起２１のみで構わない。
【符号の説明】
【００６６】
２        開口部
５        容器
６        フランジ
１０        オーバーキャップ
１１        基部
１７        内側壁
１８        外側壁
２１、２４  係止用突起
【図１】
2014122064.tif 000003
【図２】
2014122064.tif 000004
【図３】
2014122064.tif 000005
【図４】
2014122064.tif 000006
【図５】
2014122064.tif 000007
【図６】
2014122064.tif 000008
【図７】
2014122064.tif 000009
【図８】
2014122064.tif 000010